(57)【要約】【課題】  各種センタ及び販売店内部でのデジタルコンテンツの不正使用を防止することが可能な技術を提供する。【解決手段】  デジタルコンテンツの不正使用を防止するデジタルコンテンツ不正使用防止方法において、デジタルコンテンツに当該デジタルコンテンツの再生処理を制御する為の状態情報を設定するステップと、前記設定された状態情報の値に応じて当該デジタルコンテンツの再生処理を制御するステップとを有するものである。【選択図】        図１
2006127535.tif 000002
【特許請求の範囲】
【請求項１】
デジタルコンテンツの不正使用を防止するデジタルコンテンツ不正使用防止システムであって、
デジタルコンテンツの全ての再生処理を禁止する状態情報を含む無効版デジタルコンテンツを生成するデジタル化装置と、
該生成された無効版デジタルコンテンツを前記デジタル化装置から受信し、該受信した無効版デジタルコンテンツを蓄積する蓄積管理装置と、
該無効版デジタルコンテンツを前記蓄積管理装置から受信し、該受信したデジタルコンテンツをもとに、特定の利用者に対して再生を許可する状態情報を含む有効版デジタルコンテンツを生成する販売装置と、
該生成された有効版デジタルコンテンツを前記販売装置から受信し、該受信した有効版デジタルコンテンツに含まれる状態情報が、該再生装置に対応する利用者による再生処理を許可する情報である場合は、該有効版デジタルコンテンツの再生処理を制御する再生装置とを備えることを特徴とするデジタルコンテンツ不正使用防止システム。
【請求項２】
前記蓄積管理装置、前記販売装置及び前記再生装置は、前記デジタルコンテンツを受信した場合に、該デジタルコンテンツの送信元を示す流通情報を前記受信したデジタルコンテンツに設定し、
前記再生装置は、前記受信した有効版デジタルコンテンツの流通情報が正規の流通経路を示しているか否かを判断し、該判断の結果、正規の流通経路である場合は、該有効版デジタルコンテンツの再生処理を行うことを特徴とする請求項１に記載されたデジタルコンテンツ不正使用防止システム。
【請求項３】
デジタルコンテンツの不正使用を防止するデジタルコンテンツ不正使用防止方法であって、
デジタルコンテンツの全ての再生処理を禁止する状態情報を含む無効版デジタルコンテンツをデジタル化装置により生成するステップと、
該生成された無効版デジタルコンテンツを前記デジタル化装置から受信し、該受信した無効版デジタルコンテンツを蓄積管理装置により蓄積するステップと、
該無効版デジタルコンテンツを前記蓄積管理装置から受信し、該受信したデジタルコンテンツをもとに、特定の利用者に対して再生を許可する状態情報を含む有効版デジタルコンテンツを販売装置により生成するステップと、
該生成された有効版デジタルコンテンツを前記販売装置から受信し、該受信した有効版デジタルコンテンツに含まれる状態情報が、該再生装置に対応する利用者による再生処理を許可する情報である場合は、該有効版デジタルコンテンツの再生処理を制御するステップとを備えることを特徴とするデジタルコンテンツ不正使用防止方法。
【請求項４】
デジタルコンテンツの不正使用を防止するデジタルコンテンツ不正使用防止システムとしてコンピュータを機能させる為のプログラムを記録した媒体であって、
デジタルコンテンツの全ての再生処理を禁止する状態情報を含む無効版デジタルコンテンツを生成するデジタル化装置と、
該生成された無効版デジタルコンテンツを前記デジタル化装置から受信し、該受信した無効版デジタルコンテンツを蓄積する蓄積管理装置と、
該無効版デジタルコンテンツを前記蓄積管理装置から受信し、該受信したデジタルコンテンツをもとに、特定の利用者に対して再生を許可する状態情報を含む有効版デジタルコンテンツを生成する販売装置と、
該生成された有効版デジタルコンテンツを前記販売装置から受信し、該受信した有効版デジタルコンテンツに含まれる状態情報が、該再生装置に対応する利用者による再生処理を許可する情報である場合は、該有効版デジタルコンテンツの再生処理を制御する再生装置としてコンピュータを機能させる為のプログラムを記録したことを特徴とする媒体。
【発明の詳細な説明】
【技術分野】
【０００１】
本発明はデジタルコンテンツの不正使用を防止するデジタルコンテンツ不正使用防止システムに関し、特にデジタルコンテンツを処理する各種センタ及び販売店内部でデジタルコンテンツの不正なコピー、持ち出しやダウンロードが行われた場合にその使用を抑止するデジタルコンテンツ不正使用防止システムに適用して有効な技術に関するものである。
【背景技術】
【０００２】
近年インターネット上の電子商取引ビジネスの進展に伴ってデジタルコンテンツのオンライン販売が普及段階に来ており、商取引きの４流（販促流、商流、金流、物流）をデジタル情報で行うインフラが要望されている。特にデジタルコンテンツを流通させる場合には、デジタルコンテンツの不正使用を防止し、著作権を保護する方法を確立するインフラが要望されている。
【０００３】
ネットワーク上で情報を安全に配信する技術としては、漏洩防止技術、改竄防止技術、出所証明技術に関するものがあり、通信路の内容を２点間で暗号化して漏洩防止するＳＳＬ（Secure Sockets Layer）等のセキュアソケットや、コンテンツを暗号化し電子サインしたセキュアコンテナが知られている。
【発明の開示】
【発明が解決しようとする課題】
【０００４】
前記従来の技術はネットワーク上で情報を配信する際に暗号化を行って２点間での配信を安全に行うものである為、蓄積状態のデジタルコンテンツを保護し、各種センタ及び販売店内部での不正使用を防止する為に用いようとした場合、適用が困難であったり、またはサイズの大きいデジタルコンテンツに対しては暗号化処理の負荷が高くなるという問題がある。
【０００５】
また、デジタルコンテンツの販売後の不正使用を防止する為には特定の顧客のみの使用を許可した個人用のデジタルコンテンツを作成することが必要であるが、蓄積管理センタから販売店に一旦配信した後に販売店で顧客に販売する際に前記従来の技術を適用した場合、購入する顧客が特定されていない蓄積管理センタの段階では個人用のデジタルコンテンツを作成することができない為、蓄積管理センタから販売店への配信時と、販売店から顧客へ販売する際とで異なる暗号化処理が必要となり、暗号化処理の負荷が更に高くなるという問題がある。
【０００６】
本発明の目的は上記問題を解決し、各種センタ及び販売店内部でのデジタルコンテンツの不正使用を防止することが可能な技術を提供することにある。
【課題を解決するための手段】
【０００７】
本発明は、デジタルコンテンツの不正使用を防止するデジタルコンテンツ不正使用防止システムにおいて、デジタルコンテンツに設定された状態情報の値に応じて当該デジタルコンテンツの再生処理を制御して不正使用を抑止するものである。
【０００８】
本発明では、コンテンツの原本をデジタル化してデジタルコンテンツを生成し、前記生成したデジタルコンテンツに当該デジタルコンテンツ全ての再生処理を禁止する状態情報に設定して無効版デジタルコンテンツとし、この無効版デジタルコンテンツを蓄積する。
【０００９】
前記生成したデジタルコンテンツの内容についてコンテンツの原本を所有するコンテンツホルダの承認を得る場合には、前記無効版デジタルコンテンツの状態情報をコンテンツホルダによる再生処理を許可する値に設定して承認用デジタルコンテンツを生成し、コンテンツホルダの承認装置へ送信する。
【００１０】
コンテンツホルダの承認装置では、承認用デジタルコンテンツに設定された状態情報が当該コンテンツホルダによる再生処理を許可する値を示しているかどうかを調べ、再生処理を許可する値である場合に再生処理を行う。
【００１１】
前記の様にして承認されたデジタルコンテンツは、無効版デジタルコンテンツの状態で蓄積管理装置に蓄積された後、販売装置に配信される。なお蓄積管理装置から販売装置への広域配信時に暗号化処理を併用しても良い。
【００１２】
前記販売装置へ配信されたデジタルコンテンツを顧客に販売する場合には、前記無効版デジタルコンテンツの状態情報を顧客による再生処理を許可する値に設定して個人用デジタルコンテンツを生成し、顧客へ販売する。
【００１３】
顧客の再生装置では、個人用デジタルコンテンツに設定された状態情報が当該顧客による再生処理を許可する値を示しているかどうかを調べ、再生処理を許可する値である場合に再生処理を行う。
【００１４】
前記の様に本発明では、デジタルコンテンツを無効版の状態で蓄積しており、有効化する場合でも特定の利用者のみに対して有効化するので、利用の許可されていない者が、そのデジタルコンテンツのコピー、持ち出しまたはダウンロードを行ったとしてもその内容を読み出して使用することはできない。またデジタルコンテンツに設定された状態情報の値に応じて当該デジタルコンテンツの再生処理を制御するので、デジタルコンテンツの状態情報の値をコンテンツホルダ向けや顧客向けに変更することにより、再生が許可される利用者を容易に変更することが可能である。
【００１５】
以上の様に本発明のデジタルコンテンツ不正使用防止システムによれば、デジタルコンテンツに設定された状態情報の値に応じて当該デジタルコンテンツの再生処理を制御するので、各種センタ及び販売店内部でのデジタルコンテンツの不正使用を防止することが可能である。
【発明の効果】
【００１６】
本発明によればデジタルコンテンツに設定された状態情報の値に応じて当該デジタルコンテンツの再生処理を制御するので、各種センタ及び販売店内部でのデジタルコンテンツの不正使用を防止することが可能である。
【発明を実施するための最良の形態】
【００１７】
以下に書籍をデジタル化して生成した電子書籍に当該電子書籍の表示を制御する為の状態情報を設定し、前記状態情報により当該電子書籍の表示を制限して電子書籍の不正使用を防止する一実施形態のデジタルコンテンツ不正使用防止システムについて説明する。
【００１８】
図１は本実施形態のデジタルコンテンツ配信システムの概略構成を示す図である。図１に示す様に本実施形態のデジタルコンテンツ配信システムは、デジタル化装置１００と、承認装置１１０と、蓄積管理装置１２０と、販売装置１４０と、再生装置１５０とを有している。
【００１９】
デジタル化装置１００は、書籍の原本をデジタル化して電子書籍を生成し、承認装置１１０からの承認メッセージを受け取って蓄積管理装置１２０に送る装置である。承認装置１１０は、デジタル化装置１００で生成された電子書籍の内容を出版社側で承認する為の装置である。
【００２０】
蓄積管理装置１２０は、デジタル化装置１００で生成された電子書籍を蓄積する装置である。販売装置１４０は、顧客が選択した電子書籍を媒体に複写したり再生装置１５０へダウンロードさせたりして顧客に電子書籍を販売する装置である。再生装置１５０は、販売装置１４０で購入した電子書籍を再生する装置である。
【００２１】
図１において無効版電子書籍は全て利用者による再生処理を禁止する状態情報が設定された電子書籍であり、有効版電子書籍は特定の利用者による再生処理を許可する状態情報が設定された電子書籍であり、試行版電子書籍は特定の利用者による再生処理を特定の期間だけ許可する状態情報が設定された電子書籍である。
【００２２】
また配信暗号化電子書籍は、配信用の暗号化処理を行った無効版電子書籍であり、個人用電子書籍は特定の個人による再生処理を許可する状態情報が設定された電子書籍であり、承認用電子書籍は特定の出版社による再生処理を許可する状態情報が設定された電子書籍である。
【００２３】
なお図１の無効版電子書籍、有効版電子書籍、試行版電子書籍、個人用電子書籍、承認用電子書籍は、電子書籍を再生するアプリケーションプログラムで定義されたフォーマットで生成されており、中間言語若しくはバイナリ状態で記載されたアプリケーションコンテナとなっているものとする。
【００２４】
図２は本実施形態のデジタル化装置１００の概略構成を示す図である。図２に示す様に本実施形態のデジタル化装置１００は、ＣＰＵ２０１と、メモリ２０２と、磁気ディスク装置２０３と、キーボード２０４と、ディスプレイ装置２０５と、通信アダプタ２０６と、スキャナ２０７とを有している。
【００２５】
ＣＰＵ２０１は、デジタル化装置１００全体の動作を制御する制御装置である。メモリ２０２は、デジタル化装置１００の動作を制御する為の各種処理プログラムやデータをロードする記憶装置である。磁気ディスク装置２０３は、前記各種処理プログラムや電子書籍等のデータを格納する記憶装置である。
【００２６】
キーボード２０４は、デジタル化装置１００への操作指示等を入力する入力装置である。ディスプレイ装置２０５は、デジタル化装置１００の動作状況等を表示する出力装置である。通信アダプタ２０６は、他の装置との通信を行うアダプタである。スキャナ２０７は、書籍の原本をイメージデータとして読み込む装置である。
【００２７】
またデジタル化装置１００は、デジタル化処理部２１０と、コンテンツ状態制御処理部２１１と、流通情報設定処理部２１２とを有している。
【００２８】
デジタル化処理部２１０は、書籍の原本をデジタル化して電子書籍を生成し、その内容確認を承認装置１１０に依頼する処理部である。コンテンツ状態制御処理部２１１は、前記生成された電子書籍に当該電子書籍の再生処理を制御する為の状態情報を設定して無効版電子書籍または承認用電子書籍を生成する処理部である。流通情報設定処理部２１２は、当該デジタル化センタのデジタル化装置１００でデジタル化が行われたことを示す流通情報を前記生成した承認用電子書籍に設定する処理部である。
【００２９】
デジタル化装置１００をデジタル化処理部２１０、コンテンツ状態制御処理部２１１及び流通情報設定処理部２１２として機能させる為のプログラムは、ＣＤ−ＲＯＭ等の記録媒体に記録され磁気ディスク等に格納された後、メモリにロードされて実行されるものとする。なお前記プログラムを記録する媒体はＣＤ−ＲＯＭ以外の他の媒体でも良い。
【００３０】
図３は本実施形態の承認装置１１０の概略構成を示す図である。図３に示す様に本実施形態の承認装置１１０は、ＣＰＵ３０１と、メモリ３０２と、磁気ディスク装置３０３と、キーボード３０４と、ディスプレイ装置３０５と、通信アダプタ３０６とを有している。
【００３１】
ＣＰＵ３０１は、承認装置１１０全体の動作を制御する制御装置である。メモリ３０２は、承認装置１１０の動作を制御する為の各種処理プログラムやデータをロードする記憶装置である。磁気ディスク装置３０３は、前記各種処理プログラムや電子書籍等のデータを格納する記憶装置である。
【００３２】
キーボード３０４は、承認装置１１０への操作指示等を入力する入力装置である。ディスプレイ装置３０５は、承認装置１１０の動作状況等を表示する出力装置である。通信アダプタ３０６は、他の装置との通信を行うアダプタである。
【００３３】
また承認装置１１０は、承認処理部３１０と、再生処理部３１１と、流通情報検査処理部３１２と、流通情報設定処理部３１３とを有している。
【００３４】
承認処理部３１０は、デジタル化装置１００から内容確認を依頼された承認用電子書籍を受信し、その承認用電子書籍の内容を承認するかどうかを示す承認情報を当該承認用電子書籍に設定してデジタル化装置１００に送信する処理部である。
【００３５】
再生処理部３１１は、承認用電子書籍に設定された状態情報が承認装置１１０による再生処理を許可する値を示している場合にその内容を表示する処理部である。流通情報検査処理部３１２は、承認用電子書籍の流通情報が正規の流通経路を示している場合に承認装置１１０での承認処理を許可する処理部である。流通情報設定処理部３１３は、当該出版社の承認装置１１０で承認が行われたことを示す流通情報を前記承認した承認用電子書籍に設定する処理部である。
【００３６】
承認装置１１０を承認処理部３１０、再生処理部３１１、流通情報検査処理部３１２及び流通情報設定処理部３１３として機能させる為のプログラムは、ＣＤ−ＲＯＭ等の記録媒体に記録され磁気ディスク等に格納された後、メモリにロードされて実行されるものとする。なお前記プログラムを記録する媒体はＣＤ−ＲＯＭ以外の他の媒体でも良い。
【００３７】
図４は本実施形態の蓄積管理装置１２０の概略構成を示す図である。図４に示す様に本実施形態の蓄積管理装置１２０は、ＣＰＵ４０１と、メモリ４０２と、磁気ディスク装置４０３と、キーボード４０４と、ディスプレイ装置４０５と、通信アダプタ４０６とを有している。
【００３８】
ＣＰＵ４０１は、蓄積管理装置１２０全体の動作を制御する制御装置である。メモリ４０２は、蓄積管理装置１２０の動作を制御する為の各種処理プログラムやデータをロードする記憶装置である。磁気ディスク装置４０３は、前記各種処理プログラムや電子書籍等のデータを格納する記憶装置である。
【００３９】
キーボード４０４は、蓄積管理装置１２０への操作指示等を入力する入力装置である。ディスプレイ装置４０５は、蓄積管理装置１２０の動作状況等を表示する出力装置である。通信アダプタ４０６は、他の装置との通信を行うアダプタである。
【００４０】
また蓄積管理装置１２０は、蓄積管理処理部４１０と、配信制御処理部４１１と、配信処理部４１２と、流通情報検査処理部４１３と、流通情報設定処理部４１４とを有している。
【００４１】
蓄積管理処理部４１０は、デジタル化装置１００で作成された無効版電子書籍を受信して磁気ディスク装置４０３に蓄積する処理部である。配信制御処理部４１１は、無効版電子書籍に配信用の暗号化処理を行って配信暗号化電子書籍を生成し、その配信を配信処理部４１２に指示する処理部である。
【００４２】
配信処理部４１２は、配信制御処理部４１１が作成した配信暗号化電子書籍を販売装置１４０へ配信する処理部である。流通情報検査処理部４１３は、無効版電子書籍の流通情報が正規の流通経路を示している場合に蓄積管理装置１２０での蓄積処理を許可する処理部である。流通情報設定処理部４１４は、当該蓄積管理センタの蓄積管理装置１２０で蓄積されていることを示す流通情報を前記受信した無効版電子書籍に設定する処理部である。
【００４３】
蓄積管理装置１２０を蓄積管理処理部４１０、配信制御処理部４１１、配信処理部４１２、流通情報検査処理部４１３及び流通情報設定処理部４１４として機能させる為のプログラムは、ＣＤ−ＲＯＭ等の記録媒体に記録され磁気ディスク等に格納された後、メモリにロードされて実行されるものとする。なお前記プログラムを記録する媒体はＣＤ−ＲＯＭ以外の他の媒体でも良い。
【００４４】
図５は本実施形態の販売装置１４０の概略構成を示す図である。図５に示す様に本実施形態の販売装置１４０は、ＣＰＵ５０１と、メモリ５０２と、磁気ディスク装置５０３と、キーボード５０４と、ディスプレイ装置５０５と、通信アダプタ５０６と、媒体書込み装置５０７とを有している。
【００４５】
ＣＰＵ５０１は、販売装置１４０全体の動作を制御する制御装置である。メモリ５０２は、販売装置１４０の動作を制御する為の各種処理プログラムやデータをロードする記憶装置である。磁気ディスク装置５０３は、前記各種処理プログラムや電子書籍等のデータを格納する記憶装置である。
【００４６】
キーボード５０４は、販売装置１４０への操作指示等を入力する入力装置である。ディスプレイ装置５０５は、販売装置１４０の動作状況等を表示する出力装置である。通信アダプタ５０６は、他の装置との通信を行うアダプタである。媒体書込み装置５０７は、選択された電子書籍を媒体に書き込む装置である。
【００４７】
また販売装置１４０は、配信内容受信処理部５１０と、販売処理部５１１と、コンテンツ状態制御処理部５１２と、流通情報検査処理部５１３と、流通情報設定処理部５１４とを有している。
【００４８】
配信内容受信処理部５１０は、蓄積管理装置１２０から配信された配信暗号化電子書籍を受信して磁気ディスク装置５０３中に格納する処理部である。販売処理部５１１は、配信された配信暗号化電子書籍の中から選択された特定の配信暗号化電子書籍をコンテンツ状態制御処理部５１２により個人用電子書籍に変換して顧客に販売する処理部である。
【００４９】
コンテンツ状態制御処理部５１２は、顧客が選択した電子書籍の状態情報に当該顧客による再生処理を許可する値を設定して個人用電子書籍を生成する処理部である。流通情報検査処理部５１３は、配信暗号化電子書籍の流通情報が正規の流通経路を示している場合に販売装置１４０での蓄積処理を許可する処理部である。流通情報設定処理部５１４は、当該販売店の販売装置１４０で販売されたことを示す流通情報を前記個人用電子書籍に設定する処理部である。
【００５０】
販売装置１４０を配信内容受信処理部５１０、販売処理部５１１、コンテンツ状態制御処理部５１２、流通情報検査処理部５１３及び流通情報設定処理部５１４として機能させる為のプログラムは、ＣＤ−ＲＯＭ等の記録媒体に記録され磁気ディスク等に格納された後、メモリにロードされて実行されるものとする。なお前記プログラムを記録する媒体はＣＤ−ＲＯＭ以外の他の媒体でも良い。
【００５１】
図６は本実施形態の再生装置１５０の概略構成を示す図である。図６に示す様に本実施形態の再生装置１５０は、ＣＰＵ６０１と、メモリ６０２と、磁気ディスク装置６０３と、キーボード６０４と、ディスプレイ装置６０５と、通信アダプタ６０６と、媒体読込み装置６０７とを有している。
【００５２】
ＣＰＵ６０１は、再生装置１５０全体の動作を制御する制御装置である。メモリ６０２は、再生装置１５０の動作を制御する為の各種処理プログラムやデータをロードする記憶装置である。磁気ディスク装置６０３は、前記各種処理プログラムや電子書籍等のデータを格納する記憶装置である。
【００５３】
キーボード６０４は、再生装置１５０への操作指示等を入力する入力装置である。ディスプレイ装置６０５は、再生装置１５０の動作状況等を表示する出力装置である。通信アダプタ６０６は、他の装置との通信を行うアダプタである。媒体読込み装置６０７は、購入した個人用電子書籍を媒体から読み込む装置である。
【００５４】
また再生装置１５０は、再生処理部６１０と、流通情報検査処理部６１１とを有している。
【００５５】
再生処理部６１０は、個人用電子書籍に設定された状態情報が再生装置１５０による再生処理を許可する値を示している場合にその内容を表示する処理部である。流通情報検査処理部６１１は、個人用電子書籍の流通情報が正規の流通経路を示している場合に再生装置１５０での再生処理を許可する処理部である。
【００５６】
再生装置１５０を再生処理部６１０及び流通情報検査処理部６１１として機能させる為のプログラムは、ＣＤ−ＲＯＭ等の記録媒体に記録され磁気ディスク等に格納された後、メモリにロードされて実行されるものとする。なお前記プログラムを記録する媒体はＣＤ−ＲＯＭ以外の他の媒体でも良い。
【００５７】
次に本実施形態のデジタルコンテンツ配信システムにおいて、出版社が所有する書籍をデジタル化し、再生処理を制限した電子書籍を生成する処理について説明する。
【００５８】
図７は本実施形態のデジタル化処理部２１０の処理手順を示すフローチャートである。ステップ７０１で原本を出版社から受け取った後、ステップ７０２でデジタル化装置１００のデジタル化処理部２１０は、前記受け取った原本をデジタル化して電子書籍を生成し、当該電子書籍の全ての再生処理を禁止する為の状態情報をコンテンツ状態制御処理部２１１により設定して無効版電子書籍を生成する。また原本に関する商品情報を入力して当該無効版電子書籍に対応する商品情報を生成する。
【００５９】
図８は本実施形態の無効版電子書籍の一例を示す図である。図８に示す様に本実施形態の電子書籍８００は、状態情報８０１と、電子書籍本体８０２と、流通情報８０３とを有している。
【００６０】
状態情報８０１は、電子書籍８００の再生処理を制御する為の情報である。電子書籍本体８０２は、電子書籍８００のデジタルコンテンツ本体である。流通情報８０３は、電子書籍８００の送信元を示す情報である。
【００６１】
図８に示す様に電子書籍８００の状態情報８０１には該電子書籍の全ての再生処理を禁止する為の情報として「０」が設定されている。なお電子書籍本体８０２は、電子書籍８００を再生するアプリケーションプログラムで定義されたフォーマットで生成されており、中間言語若しくはバイナリ状態で記載されたアプリケーションコンテナとなっているものとする。
【００６２】
ステップ７０３で流通情報設定処理部２１２は、当該デジタル化センタのデジタル化装置１００でデジタル化が行われたことを示す流通情報を前記デジタル化で生成された無効版電子書籍に設定する。
【００６３】
ステップ７０４でコンテンツ状態制御処理部２１１は、当該電子書籍の原本を所有する出版社での再生処理を許可する状態情報を前記生成した無効版電子書籍に設定して承認用電子書籍を生成し、出版社の承認装置１１０に送信して承認処理部３１０からの応答を待つ。
【００６４】
図９は本実施形態の承認用電子書籍の一例を示す図である。図９に示す様に電子書籍８００の状態情報８０１には出版社での再生処理を許可する情報として「承認装置ＩＤ」が設定されている。また流通情報８０３には、デジタル化装置１００でデジタル化が行われたことを示す情報としてデジタル化装置１００のＩＤが設定されている。
【００６５】
状態情報８０１に設定されるＩＤとしては、承認装置１１０の装置シリアル番号等を用いた承認装置ＩＤ、デジタル化センタで予め定めた業者指定ＩＤ、出版社で予め定めたユーザ指定ＩＤ、公開鍵、チケット方式のパスワード等があり、また試行版とする場合には制限時間を設定する。なお単に有効化するだけで良い場合には状態情報８０１に「１」等の単純なビット情報を設定することとしても良い。
【００６６】
図１０は本実施形態の承認処理部３１０の処理手順を示すフローチャートである。ステップ１００１で承認装置１１０の承認処理部３１０は、デジタル化装置１００で生成された承認用電子書籍を受信する。
【００６７】
ステップ１００２で流通情報検査処理部３１２は、承認用電子書籍に設定された流通情報を参照して正規の流通経路で流通しているかを調べ、正規の流通経路で流通している場合、すなわちデジタル化を依頼したデジタル化装置１００の流通情報が設定されている場合にはステップ１００３に進み、正規の流通経路で流通していない場合にはステップ１００４でエラーメッセージを表示して処理を終了する。
【００６８】
ステップ１００３で再生処理部３１１は、承認用電子書籍に設定された状態情報を参照して承認装置１１０での再生処理が許可されているかを調べ、再生処理が許可されている場合にはステップ１００５に進み、承認用電子書籍の内容をディスプレイ装置３０５に表示する。再生処理が許可されていない場合にはステップ１００４でエラーメッセージを表示して処理を終了する。
【００６９】
ステップ１００６で承認処理部３１０はオペレータからの入力を受け付け、オペレータから入力された操作内容が承認用電子書籍の内容を承認するものである場合には、ステップ１００７で流通情報設定処理部３１３により当該出版社の承認装置１１０で承認が行われたことを示す流通情報を前記承認用電子書籍に設定し、ステップ１００８で当該承認用電子書籍と承認メッセージをデジタル化装置１００に送信する。
【００７０】
図１１は本実施形態の承認装置１１０で承認された承認用電子書籍の一例を示す図である。図１１に示す様に流通情報８０３には、承認装置１１０で承認が行われたことを示す情報として承認装置１１０のＩＤが設定されている。
【００７１】
ステップ１００６でオペレータから入力された操作内容が承認用電子書籍の修正を指示するものである場合にはステップ１００９に進み、オペレータから入力された修正内容を修正メッセージとしてデジタル化装置１００に送信する。
【００７２】
ステップ７０５でデジタル化装置１００のデジタル化処理部２１０は、出版社の承認装置１１０からの応答内容を調べ、前記生成した電子書籍への修正がある場合にはステップ７０６で修正処理を行った後にステップ７０２に戻り、デジタル化以下の処理を再度行う。前記生成した承認用電子書籍の内容が承認された場合にはステップ７０７に進み、出版社から返送された承認用電子書籍の状態情報を全ての再生処理を禁止する値に変更して無効版電子書籍を生成し、前記生成した無効版電子書籍及びその商品情報を蓄積管理装置１２０の蓄積管理処理部４１０に送る。
【００７３】
図１２は本実施形態の蓄積管理処理部４１０の処理手順を示すフローチャートである。ステップ１２０１で蓄積管理装置１２０の蓄積管理処理部４１０は、デジタル化装置１００から送信された無効版電子書籍及びその商品情報を受信する。
【００７４】
ステップ１２０２で流通情報検査処理部４１３は、無効版電子書籍に設定された流通情報を参照して正規の流通経路で流通しているかを調べ、正規の流通経路で流通している場合、すなわちデジタル化装置１００及び承認装置１１０の流通情報が設定されている場合にはステップ１２０３に進み、正規の流通経路で流通していない場合にはステップ１２０４でエラーメッセージを表示して処理を終了する。
【００７５】
ステップ１２０３で流通情報設定処理部４１４は、当該蓄積管理センタの蓄積管理装置１２０で蓄積していることを示す流通情報を前記受信した無効版電子書籍に設定し、ステップ１２０５で当該無効版電子書籍及びその商品情報を磁気ディスク装置４０３中のデータベースに蓄積する。そしてステップ１２０６ではインデックスの更新等のデータベース更新処理を行う。
【００７６】
次に本実施形態のデジタルコンテンツ配信システムにおいて、蓄積管理装置１２０に蓄積された無効版電子書籍を暗号化して販売装置１４０に配信した後、電子書籍の販売を行う処理について説明する。
【００７７】
図１３は本実施形態の配信制御処理部４１１の処理手順を示すフローチャートである。ステップ１３０１で蓄積管理装置１２０の配信制御処理部４１１は、無効版電子書籍を販売装置１４０に配信する為の配信スケジュールを作成する。ステップ１３０２では、前記配信スケジュールにより配信される無効版電子書籍及びその商品情報を読み出す。
【００７８】
ステップ１３０３で配信制御処理部４１１は、前記読み出した無効版電子書籍に配信用の暗号化処理を行って配信暗号化電子書籍を生成し、前記配信スケジュールに従った配信暗号化電子書籍の配信を配信処理部４１２に指示する。ステップ１３０４で配信処理部４１２は、前記配信スケジュールに従って各販売装置１４０に前記配信暗号化電子書籍及びその商品情報を配信する。
【００７９】
ステップ１３０５では、当該配信スケジュールにより配信処理が行われる各販売装置１４０に前記配信暗号化電子書籍及びその商品情報の配信を行ったかどうかを調べる。まだ各販売装置への配信を完了していない場合にはステップ１３０４に戻って処理を続行し、各販売装置への配信を完了した場合には当該処理を終了する。なお通信衛星等を利用した複数の販売装置１４０への同報通信を行って、当該配信スケジュールにより配信処理が行われる各販売装置への前記配信暗号化電子書籍及びその商品情報の配信を一度に行っても良い。
【００８０】
図１４は本実施形態の配信内容受信処理部５１０の処理手順を示すフローチャートである。ステップ１４０１で販売装置１４０の配信内容受信処理部５１０は、蓄積管理装置１２０から配信された配信暗号化電子書籍及びその商品情報を受信し、磁気ディスク装置５０３に格納する。ステップ１４０２では、前記受信した商品情報を以前の商品情報に追加し、顧客が購入する電子書籍を選択する際の検索処理に用いられるデータを更新する。ステップ１４０３では、磁気ディスク装置５０３の空き容量を調べ、その値に応じて最近販売に使われていないデータを削除する等のディスク管理処理を行う。
【００８１】
図１５は本実施形態の販売処理部５１１の処理手順を示すフローチャートである。ステップ１５０１で販売装置１４０の販売処理部５１１は、ディスプレイ装置５０５に電子書籍の検索を行う為のＧＵＩ（Graphical User Interface）を表示し、顧客が入力する検索条件を受け付ける。顧客から検索条件が入力されるとステップ１５０２で販売装置１４０中の商品情報を検索し、前記受け付けた検索条件に一致する電子書籍の商品情報を読み出す。ステップ１５０３では前記検索の結果得られた電子書籍の商品情報をディスプレイ装置５０５に表示し、顧客による電子書籍の選択を受け付ける。
【００８２】
ステップ１５０４では、前記表示された商品情報中の特定の電子書籍が顧客により選択されたかどうかを調べ、電子書籍の選択が行われた場合にはステップ１５０５に進む。再検索が指示された場合にはステップ１５０１に戻り、検索条件の入力を再度受け付ける。
【００８３】
ステップ１５０５では、配信された配信暗号化電子書籍の中から前記選択された特定の配信暗号化電子書籍を復号化して無効版電子書籍を生成する。ステップ１５０６で流通情報設定処理部５１４は、当該販売店の販売装置１４０で販売されたことを示す流通情報を前記無効版電子書籍に設定する。
【００８４】
ステップ１５０７でコンテンツ状態制御処理部５１２は、顧客による再生処理を許可する状態情報を前記無効版電子書籍に設定して個人用電子書籍を生成する。また個人用電子書籍を生成する際に暗号化処理を併用しても良い。状態情報に設定されるＩＤとしては、顧客の再生装置１５０の装置シリアル番号、販売店で予め定めた業者指定ＩＤ、顧客が予め定めたユーザ指定ＩＤ、公開鍵、チケット方式のパスワード等があり、また試行版とする場合には制限時間を設定する。なお単に有効化するだけで良い場合には状態情報に「１」等の単純なビット情報を設定することとしても良い。
【００８５】
ステップ１５０８では、前記生成した個人用電子書籍を媒体書込み装置５０７により媒体に複写したり、通信ケーブルやインターネット等の通信回線を介して再生装置１５０へダウンロードさせたりして顧客に販売する。前記の様にして販売された個人用電子書籍を読む場合には再生装置１５０を用いる。
【００８６】
図１６は本実施形態の再生処理部６１０の処理手順を示すフローチャートである。ステップ１６０１で再生装置１５０の再生処理部６１０は、個人用電子書籍が書き込まれた媒体やダウンロードされた個人用電子書籍ファイルにアクセスすることにより、前記販売された個人用電子書籍の内容を読み込む。
【００８７】
ステップ１６０２で流通情報検査処理部６１１は、個人用電子書籍に設定された流通情報を参照して正規の流通経路で流通しているかを調べ、正規の流通経路で流通している場合、すなわちデジタル化装置１００、承認装置１１０、蓄積管理装置１２０及び販売装置１４０の流通情報が設定されている場合にはステップ１６０３に進み、正規の流通経路で流通していない場合にはステップ１６０４でエラーメッセージを表示して処理を終了する。
【００８８】
ステップ１６０３では、個人用電子書籍に設定された状態情報を参照し、その顧客が所有する再生装置１５０に格納されている個人ＩＤと比較してその再生装置１５０での再生処理が許可されているかを調べ、再生処理が許可されている場合にはステップ１６０５に進み、顧客からの操作指示を入力して個人用電子書籍の内容をディスプレイ装置６０５に表示する。再生処理が許可されていない場合にはステップ１６０４でエラーメッセージを表示して処理を終了する。
【００８９】
前記の様に本実施形態では、電子書籍を無効版の状態で蓄積しており、有効化する場合でも特定の利用者のみに対して有効化するので、利用の許可されていない者が、その電子書籍のコピー、持ち出しまたはダウンロードを行ったとしてもその内容を読み出して使用することはできない。また電子書籍に設定された状態情報の値に応じて当該電子書籍の再生処理を制御するので、電子書籍の状態情報の値を出版社向けや顧客向けに変更することにより、再生が許可される利用者を容易に変更することが可能である。
【００９０】
以上説明した様に本実施形態のデジタルコンテンツ不正使用防止システムによれば、デジタルコンテンツに設定された状態情報の値に応じて当該デジタルコンテンツの再生処理を制御するので、各種センタ及び販売店内部でのデジタルコンテンツの不正使用を防止することが可能である。
【図面の簡単な説明】
【００９１】
【図１】本実施形態のデジタルコンテンツ配信システムの概略構成を示す図である。
【図２】本実施形態のデジタル化装置１００の概略構成を示す図である。
【図３】本実施形態の承認装置１１０の概略構成を示す図である。
【図４】本実施形態の蓄積管理装置１２０の概略構成を示す図である。
【図５】本実施形態の販売装置１４０の概略構成を示す図である。
【図６】本実施形態の再生装置１５０の概略構成を示す図である。
【図７】本実施形態のデジタル化処理部２１０の処理手順を示すフローチャートである。
【図８】本実施形態の無効版電子書籍の一例を示す図である。
【図９】本実施形態の承認用電子書籍の一例を示す図である。
【図１０】本実施形態の承認処理部３１０の処理手順を示すフローチャートである。
【図１１】本実施形態の承認装置１１０で承認された承認用電子書籍の一例を示す図である。
【図１２】本実施形態の蓄積管理処理部４１０の処理手順を示すフローチャートである。
【図１３】本実施形態の配信制御処理部４１１の処理手順を示すフローチャートである。
【図１４】本実施形態の配信内容受信処理部５１０の処理手順を示すフローチャートである。
【図１５】本実施形態の販売処理部５１１の処理手順を示すフローチャートである。
【図１６】本実施形態の再生処理部６１０の処理手順を示すフローチャートである。
【符号の説明】
【００９２】
１００…デジタル化装置、１１０…承認装置、１２０…蓄積管理装置、１４０…販売装置、１５０…再生装置、２０１…ＣＰＵ、２０２…メモリ、２０３…磁気ディスク装置、２０４…キーボード、２０５…ディスプレイ装置、２０６…通信アダプタ、２０７…スキャナ、２１０…デジタル化処理部、２１１…コンテンツ状態制御処理部、２１２…流通情報設定処理部、３０１…ＣＰＵ、３０２…メモリ、３０３…磁気ディスク装置、３０４…キーボード、３０５…ディスプレイ装置、３０６…通信アダプタ、３１０…承認処理部、３１１…再生処理部、３１２…流通情報検査処理部、３１３…流通情報設定処理部、４０１…ＣＰＵ、４０２…メモリ、４０３…磁気ディスク装置、４０４…キーボード、４０５…ディスプレイ装置、４０６…通信アダプタ、４１０…蓄積管理処理部、４１１…配信制御処理部、４１２…配信処理部、４１３…流通情報検査処理部、４１４…流通情報設定処理部、５０１…ＣＰＵ、５０２…メモリ、５０３…磁気ディスク装置、５０４…キーボード、５０５…ディスプレイ装置、５０６…通信アダプタ、５０７…媒体書込み装置、５１０…配信内容受信処理部、５１１…販売処理部、５１２…コンテンツ状態制御処理部、５１３…流通情報検査処理部、５１４…流通情報設定処理部、６０１…ＣＰＵ、６０２…メモリ、６０３…磁気ディスク装置、６０４…キーボード、６０５…ディスプレイ装置、６０６…通信アダプタ、６０７…媒体読込み装置、６１０…再生処理部、６１１…流通情報検査処理部、８００…電子書籍、８０１…状態情報、８０２…電子書籍本体、８０３…流通情報。
【図１】
2006127535.tif 000003
【図２】
2006127535.tif 000004
【図３】
2006127535.tif 000005
【図４】
2006127535.tif 000006
【図５】
2006127535.tif 000007
【図６】
2006127535.tif 000008
【図７】
2006127535.tif 000009
【図８】
2006127535.tif 000010
【図９】
2006127535.tif 000011
【図１０】
2006127535.tif 000012
【図１１】
2006127535.tif 000013
【図１２】
2006127535.tif 000014
【図１３】
2006127535.tif 000015
【図１４】
2006127535.tif 000016
【図１５】
2006127535.tif 000017
【図１６】
2006127535.tif 000018